(57)【要約】【課題】通信装置に含まれる対象機器の存在を容易に確認でき、しかも、存在する対象機器がどのような状態にあるのかをも容易に確認できる通信装置の提供。【解決手段】子機＃１において子機＃ｎの状態をピクトで表示する。子機＃ｎが待機状態にあれば（Ｓ２７４：ＹＥＳ）、子機＃ｎのピクトを点灯する（Ｓ２７６）。子機＃ｎが外線通話状態にあれば（Ｓ２７８：ＹＥＳ）、子機＃ｎのピクトを２秒周期で点滅させる（Ｓ２８０）。子機＃ｎが内線通話状態にあれば（Ｓ２８２：ＹＥＳ）、子機＃ｎのピクトを１秒周期で点滅させる（Ｓ２８４）。子機＃ｎが通話圏外にあれば（Ｓ２８６：ＹＥＳ）、子機＃ｎのピクトを０．５秒周期で点滅させる（Ｓ２８８）。子機＃ｎの状態が未登録状態であれば（Ｓ２８６：ＮＯ）、子機＃ｎのピクトを消灯（非表示）とする（Ｓ２９０）。【選択図】図５
2008072199.tif 000002
【特許請求の範囲】
【請求項１】
親機と１または２以上の子機とを備えてなり、前記親機と前記子機は通信可能に構成され、前記親機は前記子機以外の外部装置とも通信可能に構成され、前記子機は前記親機経由で前記外部装置と通信可能に構成された通信装置であって、
前記親機または前記子機は、
前記親機および前記子機の内、１または２以上の機器を対象機器として、当該対象機器の状態を示す状態情報を、前記対象機器または前記対象機器以外の機器から取得する状態情報取得手段と、
前記状態情報取得手段によって取得された前記状態情報に基づいて、前記対象機器すべてについて、各対象機器が存在することと各対象機器の状態との双方を通知する情報通知手段と
を備えることを特徴とする通信装置。
【請求項２】
前記親機は、
すべての前記対象機器それぞれに対応する前記状態情報を記憶可能な情報記憶手段と、
前記情報記憶手段に記憶された前記状態情報を、前記子機へと提供する情報提供手段と
を備え、
少なくとも前記子機は、前記状態情報取得手段および前記情報通知手段を備え、
前記子機が備える前記状態情報取得手段は、前記親機が備える前記情報提供手段が前記子機へと提供する前記状態情報を、前記親機から取得する
ことを特徴とする請求項１に記載の通信装置。
【請求項３】
前記情報通知手段は、複数の表示領域を備えており、各表示領域に対応する前記対象機器が存在する場合に、該当表示領域を表示状態とする一方、各表示領域に対応する前記対象機器が存在しない場合に、該当表示領域を非表示状態とする
ことを特徴とする請求項１または請求項２に記載の通信装置。
【請求項４】
前記情報通知手段は、前記対象機器が前記親機、前記子機、または前記外部装置のいずれかと通信可能な待機状態にあることを、利用者が認識可能な表示態様にて、前記表示領域を前記表示状態とする
ことを特徴とする請求項３に記載の通信装置。
【請求項５】
前記情報通知手段は、前記対象機器が前記親機または前記子機と通信中である内線通信状態にあることを、利用者が認識可能な表示態様にて、前記表示領域を前記表示状態とする
ことを特徴とする請求項３または請求項４に記載の通信装置。
【請求項６】
前記情報通知手段は、前記対象機器が前記外部装置と通信中である外線通信状態にあることを、利用者が認識可能な表示態様にて、前記表示領域を前記表示状態とする
ことを特徴とする請求項３〜請求項５のいずれかに記載の通信装置。
【請求項７】
前記情報通知手段は、前記対象機器の状態が不明な状態にあることを、利用者が認識可能な表示態様にて、前記表示領域を前記表示状態とする
ことを特徴とする請求項３〜請求項６のいずれかに記載の通信装置。
【請求項８】
前記情報通知手段は、複数の前記表示領域それぞれに、前記対象機器を表すピクトを表示可能に構成され、各表示領域に対応する前記対象機器が存在する場合に、該当表示領域の前記ピクトを表示状態とする一方、各表示領域に対応する前記対象機器が存在しない場合に、該当表示領域の前記ピクトを非表示状態とし、さらに、前記表示領域を前記表示状態とした場合、前記ピクトの点灯・点滅、および点滅周期の内、いずれか一方または両方を、複数ある前記対象機器の状態に応じたものとすることにより、複数ある前記対象機器の状態それぞれを利用者が認識可能な表示態様とする
ことを特徴とする請求項３〜請求項７のいずれかに記載の通信装置。
【請求項９】
前記親機および前記子機は、互いに無線で通信可能に構成されている
ことを特徴とする請求項１〜請求項８のいずれかに記載の通信装置。
【発明の詳細な説明】
【技術分野】
【０００１】
本発明は、親機と１または２以上の子機とを備えた通信装置に関する。
【背景技術】
【０００２】
従来、親機と子機とを備えた通信装置（例えば、コードレス電話機等）において、使用中の親機や子機についての情報を、使用していない子機において表示するものが提案されている（例えば、特許文献１：段落［００３６］〜［００３８］参照。）
同文献に記載の通信装置であれば、例えば、親機が使用中の場合には、使用していない子機において、親機を示す番号“０”のボタンが発光する。また、子機間での内線通話が行われている場合には、各子機を示す番号“１”と“３”のボタンが発光する。
【０００３】
したがって、利用者は、発行しているボタンの番号から、親機が使用中であるか否か、子機間通話が行われているか否か、といったことを容易に判断できる。また、通話が終了した際には、そのことをボタンの消灯により容易に確認することができる。
【特許文献１】特開平５−３３６２１４号公報
【発明の開示】
【発明が解決しようとする課題】
【０００４】
しかしながら、上記特許文献１に記載の技術は、親機や子機が使用中である場合に、その情報が、使用していない子機において表示されるものなので、使用していない子機に関する情報を得ることはできなかった。
【０００５】
そのため、例えば、利用者は、手元にある子機の存在と、その子機に表示される使用中の親機や子機の存在は確認できるものの、それら以外にも使用中ではない子機が存在するのか否か、存在するとすれば何台の子機が存在するのか、そのような子機との通信が可能な状態にあるのか否か、といったことを確認することはできなかった。
【０００６】
本発明は、上記問題を解決するためになされたものであり、その目的は、通信装置に含まれる対象機器（例えば、親機や子機）の存在を容易に確認でき、しかも、存在する対象機器がどのような状態にあるのかをも容易に確認できる通信装置を提供することにある。
【課題を解決するための手段】
【０００７】
以下、本発明において採用した特徴的構成について説明する。
本発明の通信装置は、親機と１または２以上の子機とを備えてなり、前記親機と前記子機は通信可能に構成され、前記親機は前記子機以外の外部装置とも通信可能に構成され、前記子機は前記親機経由で前記外部装置と通信可能に構成された通信装置であって、前記親機または前記子機は、前記親機および前記子機の内、１または２以上の機器を対象機器として、当該対象機器の状態を示す状態情報を、前記対象機器または前記対象機器以外の機器から取得する状態情報取得手段と、前記状態情報取得手段によって取得された前記状態情報に基づいて、前記対象機器すべてについて、各対象機器が存在することと各対象機器の状態との双方を通知する情報通知手段とを備えることを特徴とする。
【０００８】
このように構成された通信装置によれば、対象機器すべてについて各対象機器が存在することと各対象機器の状態との双方が利用者に対して通知されるので、利用者は、すべての対象機器について、各対象機器が存在することを認識できるとともに、各対象機器の状態を知ることができる。
【０００９】
また、本発明の通信装置において、前記親機は、すべての前記対象機器それぞれに対応する前記状態情報を記憶可能な情報記憶手段と、前記情報記憶手段に記憶された前記状態情報を、前記子機へと提供する情報提供手段とを備え、少なくとも前記子機は、前記状態情報取得手段および前記情報通知手段を備え、前記子機が備える前記状態情報取得手段は、前記親機が備える前記情報提供手段が前記子機へと提供する前記状態情報を、前記親機から取得するとよい。
【００１０】
このように構成された通信装置によれば、すべての対象機器それぞれに対応する複数の状態情報を、親機からまとめて取得できるので、複数の子機が存在するような場合であっても、複数の子機それぞれから状態情報を取得するといった面倒な制御を実施しなくてもよい。
【００１１】
また、本発明の通信装置において、前記情報通知手段は、複数の表示領域を備えており、各表示領域に対応する前記対象機器が存在する場合に、該当表示領域を表示状態とする一方、各表示領域に対応する前記対象機器が存在しない場合に、該当表示領域を非表示状態とするとよい。
【００１２】
このように構成された通信装置によれば、表示領域が表示状態となっていることをもって、利用者は、表示領域に対応する機器が存在することを知ることができる。
また、本発明の通信装置において、前記情報通知手段は、前記対象機器が前記親機、前記子機、または前記外部装置のいずれかと通信可能な待機状態にあることを、利用者が認識可能な表示態様にて、前記表示領域を前記表示状態とするとよい。
【００１３】
このように構成された通信装置によれば、利用者は、対象機器が待機状態にあることを知ることができる。
また、本発明の通信装置において、前記情報通知手段は、前記対象機器が前記親機または前記子機と通信中である内線通信状態にあることを、利用者が認識可能な表示態様にて、前記表示領域を前記表示状態とするとよい。
【００１４】
このように構成された通信装置によれば、利用者は、対象機器が内線通信状態にあることを知ることができる。
また、本発明の通信装置において、前記情報通知手段は、前記対象機器が前記外部装置と通信中である外線通信状態にあることを、利用者が認識可能な表示態様にて、前記表示領域を前記表示状態とするとよい。
【００１５】
このように構成された通信装置によれば、利用者は、対象機器が外線通信状態にあることを知ることができる。
また、本発明の通信装置において、前記情報通知手段は、前記対象機器の状態が不明な状態にあることを、利用者が認識可能な表示態様にて、前記表示領域を前記表示状態とするとよい。
【００１６】
このように構成された通信装置によれば、利用者は、対象機器の状態が不明な状態にあることを知ることができる。なお、対象機器の状態が不明な状態にある場合の具体例としては、例えば、対象機器が通話圏外に持ち出されているような場合、対象機器の電源スイッチがオフにされている場合、対象機器が電池切れとなっている場合などを挙げることができる。これらのような状態にある対象機器からは、対象機器の状態を取得することができず、対象機器の状態が不明な状態になる。
【００１７】
また、本発明の通信装置において、前記情報通知手段は、複数の前記表示領域それぞれに、前記対象機器を表すピクトを表示可能に構成され、各表示領域に対応する前記対象機器が存在する場合に、該当表示領域の前記ピクトを表示状態とする一方、各表示領域に対応する前記対象機器が存在しない場合に、該当表示領域の前記ピクトを非表示状態とし、さらに、前記表示領域を前記表示状態とした場合、前記ピクトの点灯・点滅、および点滅周期の内、いずれか一方または両方を、複数ある前記対象機器の状態に応じたものとすることにより、複数ある前記対象機器の状態それぞれを利用者が認識可能な表示態様とするとよい。
【００１８】
このように構成された通信装置によれば、利用者は、ピクトの表示があるか否かにより、対象機器の存在を知ることができ、ピクトの点灯・点滅、および点滅周期により、対象機器の状態を知ることができる。
【００１９】
また、本発明の通信装置において、前記親機および前記子機は、互いに無線で通信可能に構成されているとよい。
このように構成された通信装置によれば、親機および子機が無線で通信できるので、有線のものよりも利便性が高い。
【発明を実施するための最良の形態】
【００２０】
次に、本発明の実施形態について、具体的な例を挙げて説明する。
［通信装置の構成］
図１は、本発明の通信装置の一実施形態として例示するコードレス電話機の内部構成を示すブロック図である。
【００２１】
このコードレス電話機１は、親機１０、子機５０、充電台８０などを備えてなる。
親機１０は、親機１０全体の動作を制御する制御部２１，ハンドセット１２，ディスプレイ１３および操作ボタン１４からなるユーザインターフェース部（以降、ユーザＩ／Ｆとする）１５，音声信号を入力および出力する音声入出力部２３，予め記憶された各種音声信号に基づく音声を再生する再生部２５、子機５０との間で音声信号を含めた各種信号を無線通信により送受信する無線通信部２７，電話回線網１００経由で伝送される音声信号を入出力するＮＣＵ（network control unit）２９，親機１０内部における音声信号の伝送経路を切り換える経路切換部３１などを備えている。
【００２２】
これらの内、制御部２１は、種々のデータを格納するＲＡＭ２１ａと、電力が供給されない状態でも記憶されたデータを保持可能なＥＥＰＲＯＭ２１ｂを備えている。
音声入出力部２３は、スピーカ２３ａ、マイク２３ｂおよびこれらを駆動する駆動回路２３ｃを備え、スピーカ２３ａから音声信号に基づく音声を出力する以外に、スピーカ２３ａおよびマイク２３ｂを送受話器として、いわゆるハンズフリー通話を行えるように構成されている。
【００２３】
再生部２５は、着信を受けた際に利用される呼出音、音声通話を保留する際に利用される保留音などの音声信号を記憶し、制御部２１からの指令を受けて、記憶されている音声信号を再生する。再生された音声信号はスピーカ２３ａから出力される。
【００２４】
無線通信部２７は、子機５０との間で音声信号を含めた各種信号を無線通信により送受信する。
経路切換部３１は、通話を開始するための操作が行われた場合に、親機１０外部との音声信号の入出力に利用する伝送経路をハンドセット１２，音声入出力部２３，無線通信部２７のいずれかに切り換える。具体的には、ハンドセット１２が親機１０本体から取り外された場合は、伝送経路をハンドセット１２に切り換え、ユーザＩ／Ｆ１５の操作ボタン１４によりハンズフリー通話を開始するための操作が行われた場合は、伝送経路を音声入出力部２３に切り換え、子機５０により通話を開始するための操作（後述の操作ボタン５４による）が行われた場合には、伝送経路を無線通信部２７に切り換える。
【００２５】
一方、子機５０は、子機５０全体の動作を制御する制御部６１と、スピーカとマイクおよびこれらを駆動する駆動回路からなる送受話部６３と、ディスプレイ５３および操作ボタン５４からなるユーザＩ／Ｆ５７と、予め記憶された各種音声信号に基づく音声を再生する再生部６５と、再生部６５により再生された音声を出力するスピーカおよびスピーカを駆動する駆動回路からなるスピーカ部６７と、親機１０（の無線通信部２７）との間で音声信号を含めた各種信号を無線通信により送受信する無線通信部６９と、子機５０全体に電源を供給する電池７１と、充電用端子８２と電気的に接続するための充電用端子５５と、充電用端子５５への電圧印加を検出するとともに、充電用端子５５を介して充電台８０から供給される電源電圧により電池７１を充電する充電回路７５と備えている。
【００２６】
これらの内、制御部６１は、種々のデータを格納するＲＡＭ６１ａと、電力が供給されない状態でも記憶されたデータを保持可能なＥＥＰＲＯＭ６１ｂを備えている。
再生部６５は、着信を受けた際に利用される呼出音、音声通話を保留する際に利用される保留音などの音声信号が記憶されている。
【００２７】
さらに、充電台８０は、上述の充電用端子８２を備え、外部電源に接続される。
このように構成されたコードレス電話機１において、親機１０は、電話回線網１００を介して外部の相手側通信端末との間で外線通話が可能で、子機５０との間で内線通話が可能となっている。また、子機５０は、親機１０経由で電話回線網１００を介して外部の相手側通信端末との間で外線通話が可能となっている。
【００２８】
さらに、子機５０は、最大４台まで増設可能で、複数の子機５０が存在する場合には、子機５０同士でも内線通話が可能となっている。本実施形態において、子機５０同士での内線通話を行う場合、各子機５０は親機１０と通信を行い、親機１０経由で子機５０同士が内線通話を行うようになっている。
【００２９】
なお、以下の説明において、４台の子機５０それぞれを区別して説明する必要がある場合には、４台の子機５０のことを、それぞれ子機＃１、子機＃２、子機＃３、子機＃４と称することにする。
【００３０】
［子機増設処理］
次に、上記コードレス電話機１の親機１０および子機５０それぞれにおいて実行される子機増設処理について説明する。子機増設処理は、新たな子機５０を利用できるようにするために実行される処理である。
【００３１】
より詳しくは、このコードレス電話機１は最大４台まで子機５０を増設できるので、３台以下の子機５０しか利用していない場合には、新たな子機５０を追加することができる。この新たな子機５０を追加するために、子機増設処理が実行される。
【００３２】
図２は、親機１０側において実行される子機増設処理と子機５０側において実行される子機増設処理を併記したフローチャートで、図中左側のフローチャートが親機１０側の処理を示し、図中右側のフローチャートが子機５０側の処理を示している。
【００３３】
以下、先に親機１０側の処理から説明する。
待機状態にある親機１０は、まず、増設モードが選択されたか否かを判断する（Ｓ１１０）。ここで、増設モードが選択されていなければ（Ｓ１１０：ＮＯ）、Ｓ１１０の処理へと戻ることにより、親機１０は待機状態を継続する。
【００３４】
利用者が操作ボタン１４を使って増設モードを選択する旨の操作を行った場合、Ｓ１１０の処理では増設モードが選択されたとの判断がなされる（Ｓ１１０：ＹＥＳ）。この場合、親機１０は、増設モード画面をディスプレイ１３に表示し（Ｓ１２０）、利用者が増設開始キーを押したか否かを判断する（Ｓ１３０）。ここで、利用者が増設開始キーを押していないと判断した場合（Ｓ１３０：ＮＯ）、Ｓ１３０の処理へと戻ることにより、親機１０は利用者が増設開始キーを押すまで待機する。
【００３５】
そして、Ｓ１３０の処理において、利用者が増設開始キーを押したと判断した場合（Ｓ１３０：ＹＥＳ）、親機１０は、子機５０へ増設コマンドを送信して（Ｓ１４０）、子機５０から増設応答コマンドが来たか否かを判断する（Ｓ１５０）。ここで、子機５０から増設応答コマンドが来ないと判断した場合（Ｓ１５０：ＮＯ）、Ｓ１５０の処理へと戻ることにより、親機１０は子機５０から増設応答コマンドが来るまで待機する。
【００３６】
そして、Ｓ１５０の処理において、子機５０から増設応答コマンドが来た場合には（Ｓ１５０：ＹＥＳ）、全ての子機に対して増設子機情報を送信する（Ｓ１６０）。Ｓ１６０の処理によって親機１０から全ての子機５０へと送信される増設子機情報は、図３（ａ）に示すようなデータ形式の情報である。
【００３７】
より詳しく説明すると、増設子機情報には、４台の子機５０（子機＃１〜＃４）についての情報が含まれ、１バイト分の情報が１台の子機５０に対応している。１台の子機５０に対応する１バイト分の情報は、その値によって、各子機５０の状態が、０：待機、圏内、１：外線、２：内線、３：圏外、ＦＦ：未登録、といった状態にあることを示している。
【００３８】
従って、例えば、子機＃１が待機状態にあり、子機＃２が外線通話中で、子機＃３が親機との内線通話中で、子機＃４が通話圏外に持ち出されているような場合、増設子機情報は、図３（ｂ）に示すような内容を持つ情報となる。また、例えば、子機＃１と子機＃２が内線通話中で、子機＃３と子機＃４が未登録（すなわち、子機５０が２台しか増設されていない）という状態にある場合、増設子機情報は、図３（ｃ）に示すような内容を持つ情報となる。なお、詳しくは後述するが、Ｓ１６０の処理によって全ての子機５０へと送信された増設子機情報は、各子機５０において利用されることになる。
【００３９】
以上のようなＳ１６０の処理を終えたら、親機１０は、待機画面を表示して（Ｓ１７０）、親機１０側での子機増設処理を終了、再び待機状態へと戻ることになる。
なお、上記Ｓ１１０、Ｓ１３０、Ｓ１５０の各処理で否定判断がなされることによって待機状態となっているときに、各処理の判定対象とは別のイベント（例えば、電話回線網１００側からの着信など）が発生すると、親機１０は他の処理を開始することもある。ただし、そのような他の処理は子機増設処理とは直接関連しないので、ここでは図示および説明を省略する。
【００４０】
さて、以上説明したような親機１０側での子機増設処理に並行して、子機５０側では、以下に説明するような子機増設処理が実行される。
すなわち、待機状態にある子機５０は、まず、増設モードが選択されたか否かを判断する（Ｓ２１０）。ここで、増設モードが選択されていなければ（Ｓ２１０：ＮＯ）、Ｓ２１０の処理へと戻ることにより、子機５０は待機状態を継続する。
【００４１】
利用者が操作ボタン５４を使って増設モードを選択する旨の操作を行った場合、Ｓ２１０の処理では増設モードが選択されたとの判断がなされる（Ｓ２１０：ＹＥＳ）。この場合、子機５０は、増設画面をディスプレイ５３に表示する（Ｓ２２０）。
【００４２】
本実施形態において、Ｓ２２０の処理で表示される画面は、図４に例示するような画面となる。利用者は、Ｓ２２０の処理によってディスプレイ５３に表示されたメッセージを確認した上で、親機１０側で増設開始キーを押す。なお、この操作により、上述したＳ１３０の処理において肯定判断がなされることになる。
【００４３】
さて、Ｓ２２０の処理を終えたら、子機５０は、親機１０から増設コマンドが来たか否かを判断する（Ｓ２３０）。親機１０から増設コマンドが送信されてこない間は、Ｓ２３０の処理において否定判断がなされ（Ｓ２３０：ＮＯ）、Ｓ２３０の処理へと戻ることにより、子機５０は増設コマンドが送信されてくるまで待機する。
【００４４】
ここで、増設コマンドは、親機１０が上述したＳ１４０の処理を実行した場合に子機５０側へと送信されてくることになる。親機１０から増設コマンドが送信された場合、子機５０は、親機１０から増設コマンドが来たと判断し（Ｓ２３０：ＹＥＳ）、親機１０へ増設応答コマンドを返す（Ｓ２４０）。
【００４５】
その後、子機５０は、親機１０から増設子機情報が来たか否かを判断する（Ｓ２５０）。ここで、親機１０から増設子機情報が来ないと判断した場合（Ｓ２５０：ＮＯ）、Ｓ２５０の処理へと戻ることにより、子機５０は親機１０から増設子機情報が来るまで待機する。
【００４６】
Ｓ２５０の処理において、親機１０から増設子機情報が来た場合には（Ｓ２５０：ＹＥＳ）、メモリー（ＥＥＰＲＯＭ６１ｂ）に増設子機情報を格納する（Ｓ２６０）。Ｓ２６０の処理によってメモリーに格納される増設子機情報は、上述したＳ１６０の処理によって、親機１０から全ての子機５０へと送信されたものであり、既に説明した通り、図３（ａ）〜同図（ｃ）に例示したような情報である。
【００４７】
そして、Ｓ２６０の処理を終えたら、子機５０は、子機情報報知処理を実行して（Ｓ２７０）、子機５０側での子機増設処理を終了、再び待機状態へと戻ることになる。なお、Ｓ２７０の子機情報報知処理の詳細については、この子機増設処理の説明に引き続いて別途説明する。
【００４８】
なお、上記Ｓ２１０、Ｓ２３０、Ｓ２５０の各処理で否定判断がなされることによって待機状態となっているときに、各処理の判定対象とは別のイベント（例えば、電話回線網１００側からの着信など）が発生すると、子機５０は他の処理を開始することもある。ただし、そのような他の処理は子機増設処理とは直接関連しないので、ここでは図示および説明を省略する。
【００４９】
［子機情報報知処理］
次に、子機５０において実行される子機情報報知処理について説明する。この子機情報報知処理は、上述したＳ２７０の処理に相当する。また、さらに後から説明する処理の中でも、この子機情報報知処理を呼び出すことがある。図５は、子機情報報知処理のフローチャートである。
【００５０】
子機情報報知処理を開始すると、子機５０は、ループカウンタｎに初期値１をセットし（Ｓ２７２）、このループカウンタｎの値に基づいて、メモリーに格納された増設子機情報（図３（ａ）〜同図（ｃ）参照）の中に含まれる子機＃ｎの状態が「０」か否かを判断する（Ｓ２７４）。例えば、Ｓ２７２の処理を実行した直後であれば、ｎ＝１となっているので、Ｓ２７４の処理では、増設子機情報中に含まれる子機＃１の状態が「０」か否かを判断することになる。
【００５１】
ここで、子機＃ｎの状態が「０」であれば（Ｓ２７４：ＹＥＳ）、子機＃ｎが待機状態（通話圏内にあって外線通話および内線通話を行っていない状態）にあると判断できるので、ディスプレイ５３に表示される子機＃ｎのピクトを点灯する（Ｓ２７６）。
【００５２】
本実施形態において、子機＃ｎのピクトは、図６に例示するように、四角形の内側に子機番号を示す数字が表記された図柄になっており、例えば、子機＃１のピクトであれば、四角形の内側に数字「１」が表記された図柄、子機＃２のピクトであれば、四角形の内側に数字「２」が表記された図柄…、となっている。このような子機＃ｎのピクトが、Ｓ２７６の処理を実行した場合は、点灯状態（常時表示されている状態）になる。
【００５３】
また、Ｓ２７４の処理において、子機＃ｎの状態が「０」でなければ（Ｓ２７４：ＮＯ）、メモリーに格納された増設子機情報の中に含まれる子機＃ｎの状態が「１」か否かを判断する（Ｓ２７８）。例えば、Ｓ２７２の処理を実行した直後であれば、ｎ＝１となっているので、Ｓ２７８の処理では、増設子機情報中に含まれる子機＃１の状態が「１」か否かを判断することになる。
【００５４】
ここで、子機＃ｎの状態が「１」であれば（Ｓ２７８：ＹＥＳ）、子機＃ｎが外線通話状態（通話圏内にあって外線通話を行っている状態）にあると判断できるので、ディスプレイ５３に表示される子機＃ｎのピクトを２秒周期で点滅させる（Ｓ２８０）。
【００５５】
また、Ｓ２７８の処理において、子機＃ｎの状態が「１」でなければ（Ｓ２７８：ＮＯ）、メモリーに格納された増設子機情報の中に含まれる子機＃ｎの状態が「２」か否かを判断する（Ｓ２８２）。例えば、Ｓ２７２の処理を実行した直後であれば、ｎ＝１となっているので、Ｓ２８２の処理では、増設子機情報中に含まれる子機＃１の状態が「２」か否かを判断することになる。
【００５６】
ここで、子機＃ｎの状態が「２」であれば（Ｓ２８２：ＹＥＳ）、子機＃ｎが内線通話状態（通話圏内にあって内線通話を行っている状態）にあると判断できるので、ディスプレイ５３に表示される子機＃ｎのピクトを１秒周期で点滅させる（Ｓ２８４）。
【００５７】
また、Ｓ２８２の処理において、子機＃ｎの状態が「２」でなければ（Ｓ２８２：ＮＯ）、メモリーに格納された増設子機情報の中に含まれる子機＃ｎの状態が「３」か否かを判断する（Ｓ２８６）。例えば、Ｓ２７２の処理を実行した直後であれば、ｎ＝１となっているので、Ｓ２８６の処理では、増設子機情報中に含まれる子機＃１の状態が「３」か否かを判断することになる。
【００５８】
ここで、子機＃ｎの状態が「３」であれば（Ｓ２８６：ＹＥＳ）、子機＃ｎが通話圏外にある状態と判断できるので、ディスプレイ５３に表示される子機＃ｎのピクトを０．５秒周期で点滅させる（Ｓ２８８）。
【００５９】
さらに、Ｓ２８６の処理において、子機＃ｎの状態が「３」でなければ（Ｓ２８６：ＮＯ）、メモリーに格納された増設子機情報の中に含まれる子機＃ｎの状態が「ＦＦ」であり、子機＃ｎが未登録状態であると判断できるので、子機＃ｎのピクトを消灯（非表示）とする（Ｓ２９０）。
【００６０】
以上のようなＳ２７４〜Ｓ２９０の処理を実行した後、引き続いて、子機５０は、ループカウンタｎに１を加算し（Ｓ２９２）、ｎ≦４であるか否かを判断する（Ｓ２９４）。ここで、ｎ≦４であれば（Ｓ２９４：ＹＥＳ）、まだ子機＃１〜子機＃４の中に、処理済みとなっていないものが残っていることになるので、その場合は、Ｓ２７４以降の処理を繰り返す。
【００６１】
この繰り返し処理により、ループカウンタｎの値は１，２，３，４の順に変化し、その結果、ディスプレイ５３に表示された４つのピクト（子機＃１〜＃４のピクト）が順に処理対象となり、各ピクトが点灯、２秒周期点滅、１秒周期点滅、０．５秒周期点滅、および消灯の内、いずれかの状態になる。
【００６２】
そして、この繰り返し処理を４回繰り返すと、４回目のＳ２９２の処理で、ループカウンタｎの値は５に達し、その場合、Ｓ２９４の処理では否定判断がなされることになり（Ｓ２９４：ＮＯ）、その場合は、子機情報報知処理を終了する。
【００６３】
図６は、以上説明したような子機情報報知処理により、４台の子機＃１〜＃４において、ディスプレイ５３に表示された４つのピクト（子機＃１〜＃４のピクト）が、どのような状態になるのかを示した説明図である。この図６では、３通りの事例について、４台の子機＃１〜＃４それぞれにおいて、４つのピクト（子機＃１〜＃４のピクト）がどのような状態になるのかを図示してある。
【００６４】
例えば、第１の事例は、子機が４台存在し、子機＃１が外線通話を行っており、他の子機は待機状態になっている場合の事例である。この場合、子機＃１が外線通話中である旨の情報が親機１０からすべての子機＃１〜＃４に対して送られるので、子機＃１〜＃４のいずれにおいても、子機＃１のピクトが２秒周期で点滅する。また、他の子機（子機＃２〜＃４）が待機状態になっている旨の情報が親機１０からすべての子機＃１〜＃４に対して送られるので、子機＃１〜＃４のいずれにおいても、子機＃２〜＃４のピクトが点灯状態（常時表示される状態）になる。
【００６５】
また、第２の事例は、子機が４台存在し、親機と子機＃１が内線通話を行っており、他の子機は待機状態になっている場合の事例である。この場合、子機＃１が内線通話中である旨の情報が親機１０からすべての子機＃１〜＃４に対して送られるので、子機＃１〜＃４のいずれにおいても、子機＃１のピクトが１秒周期で点滅する。また、他の子機（子機＃２〜＃４）が待機状態になっている旨の情報が親機１０からすべての子機＃１〜＃４に対して送られるので、子機＃１〜＃４のいずれにおいても、子機＃２〜＃４のピクトが点灯状態（常時表示される状態）になる。
【００６６】
さらに、第３の事例は、子機が４台存在し、子機＃１が通話圏外に持ち出され（あるいは、子機＃１の電源スイッチがＯＦＦにされ）、他の子機は通話圏内で待機状態になっている場合の事例である。この場合も、子機＃１が通話圏外にある旨の情報が親機１０から送られる。
【００６７】
ただし、通話圏外にある子機＃１は、親機１０から送られてくる情報を受け取ることができないので、親機１０から送られた情報は、子機＃２〜＃４のみが受け取ることになる。その結果、子機＃２〜＃４のいずれにおいても、子機＃１のピクトが０．５秒周期で点滅する。また、他の子機（子機＃２〜＃４）が待機状態になっている旨の情報も親機１０から子機＃２〜＃４に対して送られるので、子機＃２〜＃４のいずれにおいても、子機＃２〜＃４のピクトが点灯状態（常時表示される状態）になる。
【００６８】
一方、通話圏外にある子機＃１は、親機１０から送られてくる情報を受け取ることができないが、情報を受け取ることができないことをもって、自身が通話圏外にあることを認識できるので、子機＃１のピクトが０．５秒周期で点滅する状態、子機＃２〜＃４のピクトが消灯状態（表示されない状態）になる。
【００６９】
［子機情報更新処理］
次に、子機５０において実行される子機情報更新処理について説明する。この子機情報更新処理は、ディスプレイ５３に表示する子機情報を最新の状態に保つための処理で、親機１０からの増設子機情報の着信を伴うような処理が実行された場合に、この子機情報更新処理も実行される。図７は、子機情報更新処理のフローチャートである。
【００７０】
待機状態にある子機５０は、まず、親機１０から増設子機の情報が着信したか否かを判断する（Ｓ３１０）。ここで、親機１０から増設子機情報が着信した場合には（Ｓ３１０：ＹＥＳ）、メモリー（ＥＥＰＲＯＭ６１ｂ）に増設子機情報を格納する（Ｓ３２０）。Ｓ３２０の処理によってメモリーに格納される増設子機情報は、後述する処理の中で、親機１０が全ての子機５０に対して送信するものであるが、その内容は、既に説明した通り、図３（ａ）〜同図（ｃ）に例示したような情報である。
【００７１】
そして、Ｓ３２０の処理を終えたら、子機５０は、子機情報報知処理を実行して（Ｓ３３０）、子機情報更新処理を終了、再び待機状態へと戻ることになる。なお、Ｓ３３０の子機情報報知処理は、既に説明したＳ２７２〜Ｓ２９４の処理（図５参照）なので、ここでの説明は省略する。
【００７２】
一方、親機１０から増設子機情報が着信していないと判断した場合（Ｓ３１０：ＮＯ）、子機５０はその他の処理を実行して（Ｓ３５０）、Ｓ３１０の処理へと戻ることにより、子機５０は親機１０から増設子機情報が着信するまで待機する。ただし、Ｓ３５０の処理は、子機情報更新処理とは直接関連しないので、これ以上の図示および説明については省略する。
【００７３】
［子機発親子間内線通話処理］
次に、上記コードレス電話機１の親機１０および子機５０それぞれにおいて実行される子機発親子間内線通話処理について説明する。図８は、親機１０側において実行される子機発親子間内線通話処理のフローチャート、図９は、子機５０側において実行される子機発親子間内線通話処理のフローチャートである。
【００７４】
以下、先に親機１０側の処理から説明する。なお、以下の説明は、子機＃１を利用して親機１０との内線通話を行う場合を例に挙げて説明するが、他の子機＃２〜＃４の場合でも同様の処理となる。
【００７５】
待機状態にある親機１０は、まず、子機＃１から内線呼出コマンドを受信したか否かを判断する（Ｓ４１０）。ここで、内線呼出コマンドを受信していなければ（Ｓ４１０：ＮＯ）、Ｓ４１０の処理へと戻ることにより、親機１０は待機状態を継続する。
【００７６】
一方、内線呼出コマンドを受信していれば（Ｓ４１０：ＹＥＳ）、この場合、親機１０は、内線着信画面をディスプレイ１３に表示し（Ｓ４２０）、利用者が親機１０の受話器をとったか否かを判断する（Ｓ４３０）。
【００７７】
親機１０の受話器をとったか否かは、具体的には、ハンドセット１２が親機１０本体から取り外されたか否か、および、操作ボタン１４によりハンズフリー通話を開始するための操作が行われたか否かにより判断し、いずれか一方が行われていれば受話器をとったと判断、いずれも行われていなければ受話器をとっていないと判断する。ここで、利用者が受話器をとっていなければ（Ｓ４３０：ＮＯ）、Ｓ４３０の処理へと戻ることにより、親機１０は利用者が受話器をとるまで待機する。
【００７８】
一方、利用者が受話器をとっていれば（Ｓ４３０：ＹＥＳ）、内線呼出コマンドを送ってきた子機＃１に応答コマンド送信する（Ｓ４４０）。また、内線通話していない子機＃２〜＃４に対しては、子機＃１は内線通話中というコマンドを送信する（Ｓ４５０）。なお、上記Ｓ４４０およびＳ４５０の処理では、いずれの処理においても子機＃１に対して増設子機情報（図３（ａ）〜同図（ｃ）参照）が送信される。
【００７９】
そして、親機１０は、音声パスを設定して（Ｓ４６０）、親機１０の通信系統を親機１０−子機＃１間での通話ができる状態にし、内線通話の画面を表示して（Ｓ４７０）、以降、親機１０は、子機＃１との親子間内線通話を行うことができる状態になる。
【００８０】
その後、親子間内線通話状態となった親機１０は、子機＃１から切コマンドを受信したか否かを判断する（Ｓ５１０）。ここで、子機＃１から切コマンドを受信していなければ（Ｓ５１０：ＮＯ）、Ｓ５１０の処理へと戻ることにより、親機１０は親子間内線通話状態を継続する。
【００８１】
一方、子機＃１から切コマンドを受信した場合（Ｓ５１０：ＹＥＳ）、親機１０は、切コマンドを送ってきた子機＃１に応答コマンド送信する（Ｓ５２０）。そして、親機１０は、音声パスを設定して（Ｓ５３０）、親機１０の通信系統を待機状態にし、待機画面を表示する（Ｓ５４０）。
【００８２】
続いて、親機１０は、他の子機＃２〜＃４に対し、子機＃１は待機中というコマンドを送信する（Ｓ５５０）。なお、上記Ｓ５２０およびＳ５５０の処理では、いずれの処理においても子機＃１に対して増設子機情報（図３（ａ）〜同図（ｃ）参照）が送信される。
【００８３】
以降、親機１０は、待機状態になる。
さて、以上説明したような親機１０側での子機発親子間内線通話処理に並行して、子機＃１側では、以下に説明するような子機発親子間内線通話処理が実行される。
【００８４】
すなわち、待機状態にある子機＃１は、まず、利用者が内線キーを押したか否かを判断する（Ｓ６１０）。ここで、利用者が内線キーを押していなければ（Ｓ６１０：ＮＯ）、Ｓ６１０の処理へと戻ることにより、子機＃１は待機状態を継続する。
【００８５】
一方、利用者が内線キーを押した場合（Ｓ６１０：ＹＥＳ）、子機＃１は、親機内線画面をディスプレイ５３に表示する（Ｓ６２０）。
本実施形態において、Ｓ６２０の処理で表示される画面は、図１０（ａ）に例示するような画面となる。この画面内で、子機＃１のピクトは１秒周期で点滅するので、利用者は、子機＃１のピクトの点滅周期および画面内の他の表示から、内線通話であることを認識することができる。また、画面内には、子機＃１以外の子機に対応するピクトも表示され、各子機の状態が点灯・消灯あるいは点滅周期によって報知される。このような各子機についての状態報知は、上記Ｓ６２０の処理の中で、先に説明した「子機情報報知処理（図５参照）」を呼び出すことによって実現することができる。
【００８６】
続いて、子機＃１は、親機１０に内線呼出コマンドを送信する（Ｓ６３０）。このＳ６３０の処理で送信する内線呼出コマンドは、上述したＳ４１０の処理で肯定判断がなされることになるコマンドである。
【００８７】
Ｓ６３０の処理を終えたら、子機＃１は、親機１０から応答コマンドを受信したか否かを判断する（Ｓ６４０）。親機１０から応答コマンドが送信されてこない間は、Ｓ６４０の処理において否定判断がなされ（Ｓ６４０：ＮＯ）、Ｓ６４０の処理へと戻ることにより、子機＃１は応答コマンドが送信されてくるまで待機する。
【００８８】
ここで、応答コマンドは、親機１０が上述したＳ４４０の処理を実行した場合に子機＃１側へと送信されてくることになる。親機１０から応答コマンドが送信された場合、子機＃１は、親機１０から応答コマンドが来たと判断し（Ｓ６４０：ＹＥＳ）、子機＃１は、音声パスを設定して（Ｓ６５０）、子機＃１の通信系統を親機１０−子機＃１間での通話ができる状態にし、内線通話の画面を表示して（Ｓ６６０）、以降、子機＃１は、親機１０との親子間内線通話を行うことができる状態になる。
【００８９】
本実施形態において、Ｓ６６０の処理で表示される画面は、図１０（ｂ）に例示するような画面となる。この画面内で、子機＃１のピクトは１秒周期で点滅するので、利用者は、子機＃１のピクトの点滅周期および画面内の他の表示から、内線通話であることを認識することができる。また、画面内には、子機＃１以外の子機に対応するピクトも表示され、各子機の状態が点灯・消灯あるいは点滅周期によって報知される。このような各子機についての状態報知は、上記Ｓ６６０の処理の中で、先に説明した「子機情報報知処理（図５参照）」を呼び出すことによって実現することができる。
【００９０】
その後、親子間内線通話状態となった子機＃１は、利用者が切キーを押したか否かを判断する（Ｓ７１０）。ここで、利用者が切キーを押していなければ（Ｓ７１０：ＮＯ）、Ｓ７１０の処理へと戻ることにより、子機＃１は親子間内線通話状態を継続する。
【００９１】
一方、利用者が切キーを押した場合（Ｓ７１０：ＹＥＳ）、子機＃１は、音声パスを設定して（Ｓ７２０）、子機＃１の通信系統を待機状態にし、切断コマンドを親機１０に送信する（Ｓ７３０）。このＳ７３０の処理で送信する切断コマンドは、上述したＳ５１０の処理で肯定判断がなされることになるコマンドである。
【００９２】
Ｓ７３０の処理を終えたら、子機＃１は、親機１０から応答コマンドを受信したか否かを判断する（Ｓ７４０）。親機１０から応答コマンドが送信されてこない間は、Ｓ７４０の処理において否定判断がなされ（Ｓ７４０：ＮＯ）、Ｓ７４０の処理へと戻ることにより、子機＃１は応答コマンドが送信されてくるまで待機する。
【００９３】
ここで、応答コマンドは、親機１０が上述したＳ５２０の処理を実行した場合に子機＃１側へと送信されてくることになる。親機１０から応答コマンドが送信された場合、子機＃１は、親機１０から応答コマンドが来たと判断する。（Ｓ７４０：ＹＥＳ）。そして、子機＃１は、待機画面を表示して（Ｓ７５０）、以降、子機＃１は、待機状態になる。
【００９４】
本実施形態において、Ｓ７５０の処理で表示される画面は、図１０（ｃ）に例示するような画面となる。この画面内で、内線通話中に１秒周期で点滅していた子機＃１のピクトは、点灯状態に切り替わるので、利用者は、子機＃１のピクトが点灯状態になったことおよび画面内の他の表示から、内線通話が終わって待機状態になったことを認識することができる。また、画面内には、子機＃１以外の子機に対応するピクトも表示され、各子機の状態が点灯・消灯あるいは点滅周期によって報知される。このような各子機についての状態報知は、上記Ｓ７５０の処理の中で、先に説明した「子機情報報知処理（図５参照）」を呼び出すことによって実現することができる。
【００９５】
［子機発外線通話処理］
次に、上記コードレス電話機１の親機１０および子機５０それぞれにおいて実行される子機発外線通話処理について説明する。図１１は、親機１０側において実行される子機発外線通話処理のフローチャート、図１２は、子機５０側において実行される子機発外線通話処理のフローチャートである。
【００９６】
以下、先に親機１０側の処理から説明する。なお、以下の説明は、子機＃１を利用して外線通話を行う場合を例に挙げて説明するが、他の子機＃２〜＃４の場合でも同様の処理となる。
【００９７】
待機状態にある親機１０は、まず、子機＃１から外線呼出コマンドを受信したか否かを判断する（Ｓ８１０）。ここで、外線呼出コマンドを受信していなければ（Ｓ８１０：ＮＯ）、Ｓ８１０の処理へと戻ることにより、親機１０は待機状態を継続する。
【００９８】
一方、外線呼出コマンドを受信していれば（Ｓ８１０：ＹＥＳ）、この場合、親機１０は、外線発呼画面をディスプレイ１３に表示する（Ｓ８２０）。そして、外線呼出コマンドを送ってきた子機＃１に対しては応答コマンド送信する（Ｓ８３０）。また、他の子機＃２〜＃４に対しては、子機＃１は外線通話中というコマンドを送信する（Ｓ８４０）。なお、上記Ｓ８３０およびＳ８４０の処理では、いずれの処理においても子機＃１に対して増設子機情報（図３（ａ）〜同図（ｃ）参照）が送信される。
【００９９】
そして、親機１０は、音声パスを設定して（Ｓ８５０）、親機１０の通信系統を子機＃１−電話回線網１００側間での通話ができる状態にし、外線通話の画面を表示して（Ｓ８６０）、以降、親機１０は、子機＃１を利用した外線通話を行うことができる状態になる。
【０１００】
その後、子機＃１を利用した外線通話状態となった親機１０は、子機＃１から切コマンドを受信したか否かを判断する（Ｓ９１０）。ここで、子機＃１から切コマンドを受信していなければ（Ｓ９１０：ＮＯ）、Ｓ９１０の処理へと戻ることにより、親機１０は子機＃１を利用した外線通話状態を継続する。
【０１０１】
一方、子機＃１から切コマンドを受信した場合（Ｓ９１０：ＹＥＳ）、親機１０は、切コマンドを送ってきた子機＃１に応答コマンド送信する（Ｓ９２０）。そして、親機１０は、音声パスを設定して（Ｓ９３０）、親機１０の通信系統を待機状態にし、待機画面を表示する（Ｓ９４０）。
【０１０２】
続いて、親機１０は、他の子機＃２〜＃４に対し、子機＃１は待機中というコマンドを送信する（Ｓ９５０）。なお、上記Ｓ９２０およびＳ９５０の処理では、いずれの処理においても子機＃１に対して増設子機情報（図３（ａ）〜同図（ｃ）参照）が送信される。
【０１０３】
以降、親機１０は、待機状態になる。
さて、以上説明したような親機１０側での子機発外線通話処理に並行して、子機＃１側では、以下に説明するような子機発外線通話処理が実行される。
【０１０４】
すなわち、待機状態にある子機＃１は、まず、利用者が外線キーを押したか否かを判断する（Ｓ１０１０）。ここで、利用者が外線キーを押していなければ（Ｓ１０１０：ＮＯ）、Ｓ１０１０の処理へと戻ることにより、子機＃１は待機状態を継続する。
【０１０５】
一方、利用者が外線キーを押した場合（Ｓ１０１０：ＹＥＳ）、子機＃１は、親機１０に外線呼出コマンドを送信する（Ｓ１０２０）。このＳ１０２０の処理で送信する外線呼出コマンドは、上述したＳ８１０の処理で肯定判断がなされることになるコマンドである。
【０１０６】
Ｓ１０２０の処理を終えたら、子機＃１は、親機１０から応答コマンドを受信したか否かを判断する（Ｓ１０３０）。親機１０から応答コマンドが送信されてこない間は、Ｓ１０３０の処理において否定判断がなされ（Ｓ１０３０：ＮＯ）、Ｓ１０３０の処理へと戻ることにより、子機＃１は応答コマンドが送信されてくるまで待機する。
【０１０７】
ここで、応答コマンドは、親機１０が上述したＳ８３０の処理を実行した場合に子機＃１側へと送信されてくることになる。親機１０から応答コマンドが送信された場合、子機＃１は、親機１０から応答コマンドを受信したと判断し（Ｓ１０３０：ＹＥＳ）、子機＃１は、音声パスを設定して（Ｓ１０４０）、子機＃１の通信系統を親機１０経由で外線通話ができる状態にする。
【０１０８】
そして、子機＃１は、外線通話画面をディスプレイ５３に表示する（Ｓ１０５０）。本実施形態において、Ｓ１０５０の処理で表示される画面は、図１３（ａ）に例示するような画面となる。この画面内で、子機＃１のピクトは２秒周期で点滅するので、利用者は、子機＃１のピクトの点滅周期および画面内の他の表示から、外線通話であることを認識することができる。また、画面内には、子機＃１以外の子機に対応するピクトも表示され、各子機の状態が点灯・消灯あるいは点滅周期によって報知される。このような各子機についての状態報知は、上記Ｓ１０５０の処理の中で、先に説明した「子機情報報知処理（図５参照）」を呼び出すことによって実現することができる。
【０１０９】
その後、親機１０経由での外線通話状態となった子機＃１は、利用者が切キーを押したか否かを判断する（Ｓ１１１０）。ここで、利用者が切キーを押していなければ（Ｓ１１１０：ＮＯ）、Ｓ１１１０の処理へと戻ることにより、子機＃１は親機１０経由での外線通話状態を継続する。
【０１１０】
一方、利用者が切キーを押した場合（Ｓ１１１０：ＹＥＳ）、子機＃１は、音声パスを設定して（Ｓ１１２０）、子機＃１の通信系統を待機状態にし、切断コマンドを親機１０に送信する（Ｓ１１３０）。このＳ１１３０の処理で送信する切断コマンドは、上述したＳ９１０の処理で肯定判断がなされることになるコマンドである。
【０１１１】
Ｓ１１３０の処理を終えたら、子機＃１は、親機１０から応答コマンドを受信したか否かを判断する（Ｓ１１４０）。親機１０から応答コマンドが送信されてこない間は、Ｓ１１４０の処理において否定判断がなされ（Ｓ１１４０：ＮＯ）、Ｓ１１４０の処理へと戻ることにより、子機＃１は応答コマンドが送信されてくるまで待機する。
【０１１２】
ここで、応答コマンドは、親機１０が上述したＳ９２０の処理を実行した場合に子機＃１側へと送信されてくることになる。親機１０から応答コマンドが送信された場合、子機＃１は、親機１０から応答コマンドを受信したと判断する。（Ｓ１１４０：ＹＥＳ）。そして、子機＃１は、待機画面を表示して（Ｓ１１５０）、以降、子機＃１は、待機状態になる。
【０１１３】
本実施形態において、Ｓ１１５０の処理で表示される画面は、図１３（ｂ）に例示するような画面となる。この画面内で、外線通話中に２秒周期で点滅していた子機＃１のピクトは、点灯状態に切り替わるので、利用者は、子機＃１のピクトが点灯状態になったことおよび画面内の他の表示から、外線通話が終わって待機状態になったことを認識することができる。また、画面内には、子機＃１以外の子機に対応するピクトも表示され、各子機の状態が点灯・消灯あるいは点滅周期によって報知される。このような各子機についての状態報知は、上記Ｓ１１５０の処理の中で、先に説明した「子機情報報知処理（図５参照）」を呼び出すことによって実現することができる。
【０１１４】
［子機間内線通話処理］
次に、上記コードレス電話機１の親機１０および２台の子機５０（子機＃１，＃２）それぞれにおいて実行される子機間内線通話処理について説明する。図１４は、親機１０側において実行される子機間内線通話処理のフローチャート、図１５は、発信する子機５０（子機＃１）側において実行される子機間内線通話処理のフローチャート、図１７は、着信する子機５０（子機＃２）側において実行される子機間内線通話処理のフローチャートである。
【０１１５】
以下、先に親機１０側の処理から説明する。なお、以下の説明は、子機＃１が発信機、子機＃２が着信機となる内線通話を行う場合を例に挙げて説明するが、どの子機間で通話を行う場合でも、それぞれ同様の処理となる。
【０１１６】
待機状態にある親機１０は、まず、子機＃１から子機＃２への内線呼出コマンドを受信したか否かを判断する（Ｓ１２１０）。ここで、上記内線呼出コマンドを受信していなければ（Ｓ１２１０：ＮＯ）、Ｓ１２１０の処理へと戻ることにより、親機１０は待機状態を継続する。
【０１１７】
一方、上記内線呼出コマンドを受信していれば（Ｓ１２１０：ＹＥＳ）、この場合、親機１０は、子機間通話画面をディスプレイ１３に表示する（Ｓ１２２０）。そして、着信機である子機＃２に対して、発信機である子機＃１からの内線呼出コマンドを転送する（Ｓ１２３０）。また、内線通話していない子機＃３，＃４に対しては、子機＃１と子機＃２は内線通話中というコマンドを送信する（Ｓ１２４０）。なお、上記Ｓ１２３０およびＳ１２４０の処理では、いずれの処理においても各子機＃１〜＃４に対して増設子機情報（図３（ａ）〜同図（ｃ）参照）が送信される。
【０１１８】
続いて、親機１０は、子機＃２から応答コマンドが来たか否かを判断する（Ｓ１２５０）。ここで、子機＃２から応答コマンドが来ていなければ（Ｓ１２５０：ＮＯ）、Ｓ１２５０の処理へと戻ることにより、親機１０は子機＃２から応答コマンドが来るまで待機状態を継続する。
【０１１９】
一方、子機＃２から応答コマンドが来れば（Ｓ１２５０：ＹＥＳ）、この場合、親機１０は、発信機である子機＃１に対して、着信機である子機＃２からの応答コマンドを転送する（Ｓ１２６０）。なお、上記Ｓ１２６０の処理でも、子機＃１に対して増設子機情報（図３（ａ）〜同図（ｃ）参照）が送信される。
【０１２０】
そして、親機１０は、音声パスを設定して（Ｓ１２７０）、親機１０の通信系統を子機間通話ができる状態にし、内線通話の画面を表示して（Ｓ１２８０）、以降、親機１０は、子機間通話を中継する状態になる。
【０１２１】
その後、子機間通話を中継する状態となった親機１０は、子機＃１から切コマンドを受信したか否かを判断する（Ｓ１３１０）。ここで、子機＃１から切コマンドを受信していなければ（Ｓ１３１０：ＮＯ）、Ｓ１３１０の処理へと戻ることにより、親機１０は子機間通話を中継する状態を継続する。
【０１２２】
一方、子機＃１から切コマンドを受信した場合（Ｓ１３１０：ＹＥＳ）、親機１０は、音声パスを設定して（Ｓ１３２０）、親機１０の通信系統を待機状態にする。そして、着信機である子機＃２に対して、切コマンドを転送する（Ｓ１３３０）。なお、上記Ｓ１３３０の処理では、子機＃２に対して増設子機情報（図３（ａ）〜同図（ｃ）参照）が送信される。
【０１２３】
続いて、親機１０は、子機＃２から応答コマンドを受信したか否かを判断する（Ｓ１３４０）。ここで、子機＃２から応答コマンドを受信していなければ（Ｓ１３４０：ＮＯ）、Ｓ１３４０の処理へと戻ることにより、親機１０は子機＃２から応答コマンドが来るまで待機状態を継続する。
【０１２４】
一方、子機＃２から応答コマンドを受信すれば（Ｓ１３４０：ＹＥＳ）、この場合、親機１０は、発信機である子機＃１に対して、着信機である子機＃２からの応答コマンドを転送する（Ｓ１３５０）。なお、上記Ｓ１３５０の処理では、子機＃１に対して増設子機情報（図３（ａ）〜同図（ｃ）参照）が送信される。
【０１２５】
そして、親機１０は、待機画面を表示して（Ｓ１３６０）、他の子機＃３，＃４に対し、子機＃１と子機＃２は待機中というコマンドを送信する（Ｓ１３７０）。なお、上記Ｓ１３７０の処理では、子機＃３，＃４に対して増設子機情報（図３（ａ）〜同図（ｃ）参照）が送信される。
【０１２６】
以降、親機１０は、待機状態になる。
さて、以上説明したような親機１０側での子機間内線通話処理に並行して、発信機となる子機＃１側では、図１５に示すような子機間内線通話処理が実行される。
【０１２７】
すなわち、待機状態にある子機＃１は、まず、利用者が内線キーを押したか否かを判断する（Ｓ１４１０）。ここで、利用者が内線キーを押していなければ（Ｓ１４１０：ＮＯ）、Ｓ１４１０の処理へと戻ることにより、子機＃１は待機状態を継続する。
【０１２８】
一方、利用者が内線キーを押した場合（Ｓ１４１０：ＹＥＳ）、子機＃１は、内線呼出画面をディスプレイ５３に表示する（Ｓ１４２０）。本実施形態において、Ｓ１４２０の処理で表示される画面は、図１６（ａ）に例示するような画面となる。この画面内で、子機＃１および子機＃２のピクトは１秒周期で点滅するので、利用者は、子機＃１および子機＃２のピクトの点滅周期および画面内の他の表示から、子機＃１−子機＃２間の内線通話であることを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１４２０の処理の中で、先に説明した「子機情報報知処理（図５参照）」を呼び出すことによって実現することができる。
【０１２９】
続いて、子機＃１は、利用者が子機＃２を選択したか否かを判断する（Ｓ１４３０）。ここで、利用者が子機＃２を選択していなければ（Ｓ１４３０：ＮＯ）、Ｓ１４３０の処理へと戻ることにより、子機＃１は利用者による選択を待つ。なお、利用者による選択を待った結果、利用者が子機＃２を選択する操作以外の操作を行うこともあり、その場合、図示しない別の処理へと分岐することもあるが、そのような別の処理はここで説明する子機間内線通話処理とは直接関連しない処理なので、図示および説明を省略する。
【０１３０】
一方、利用者が子機＃２を選択した場合（Ｓ１４３０：ＹＥＳ）、子機＃１は、親機１０に子機＃２への内線呼出コマンドを送信する（Ｓ１４４０）。このＳ１４４０の処理で送信する内線呼出コマンドは、上述したＳ１２１０の処理で肯定判断がなされることになるコマンドである。
【０１３１】
Ｓ１４４０の処理を終えたら、子機＃１は、親機１０を通して子機＃２から応答コマンドを受信したか否かを判断する（Ｓ１４５０）。子機＃２から応答コマンドが送信されてこない間は、Ｓ１４５０の処理において否定判断がなされ（Ｓ１４５０：ＮＯ）、Ｓ１４５０の処理へと戻ることにより、子機＃１は子機＃２から応答コマンドが送信されてくるまで待機する。
【０１３２】
ここで、応答コマンドは、親機１０が上述したＳ１２６０の処理を実行した場合に子機＃１側へと送信されてくることになる。子機＃２から応答コマンドが送信された場合、子機＃１は、子機＃２から応答コマンドが来たと判断し（Ｓ１４５０：ＹＥＳ）、子機＃１は、音声パスを設定して（Ｓ１４６０）、子機＃１の通信系統を親機１０経由で子機＃２との通話ができる状態にし、内線通話の画面を表示して（Ｓ１４７０）、以降、子機＃１は、親機１０経由で子機＃２との子機間内線通話を行うことができる状態になる。
【０１３３】
本実施形態において、Ｓ１４７０の処理で表示される画面は、図１６（ｂ）に例示するような画面となる。この画面内で、子機＃１および子機＃２のピクトは１秒周期で点滅するので、利用者は、子機＃１および子機＃２のピクトの点滅周期および画面内の他の表示から、子機＃１−子機＃２間の内線通話であることを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１４７０の処理の中で、先に説明した「子機情報報知処理（図５参照）」を呼び出すことによって実現することができる。
【０１３４】
その後、子機＃１−子機＃２間の内線通話状態となった子機＃１は、利用者が切キーを押したか否かを判断する（Ｓ１５１０）。ここで、利用者が切キーを押していなければ（Ｓ１５１０：ＮＯ）、Ｓ１５１０の処理へと戻ることにより、子機＃１は子機＃１−子機＃２間の内線通話状態を継続する。
【０１３５】
一方、利用者が切キーを押した場合（Ｓ１５１０：ＹＥＳ）、子機＃１は、音声パスを設定して（Ｓ１５２０）、子機＃１の通信系統を待機状態にし、切断コマンドを親機１０に送信する（Ｓ１５３０）。このＳ１５３０の処理で送信する切断コマンドは、上述したＳ１３１０の処理で肯定判断がなされることになるコマンドである。
【０１３６】
Ｓ１５３０の処理を終えたら、子機＃１は、親機１０から応答コマンドを受信したか否かを判断する（Ｓ１５４０）。親機１０から応答コマンドが送信されてこない間は、Ｓ１５４０の処理において否定判断がなされ（Ｓ１５４０：ＮＯ）、Ｓ１５４０の処理へと戻ることにより、子機＃１は応答コマンドが送信されてくるまで待機する。
【０１３７】
ここで、応答コマンドは、親機１０が上述したＳ１３５０の処理を実行した場合に子機＃１側へと送信されてくることになる。親機１０から応答コマンドが送信された場合、子機＃１は、親機１０から応答コマンドを受信したと判断する。（Ｓ１５４０：ＹＥＳ）。そして、子機＃１は、待機画面を表示して（Ｓ１５５０）、以降、子機＃１は、待機状態になる。
【０１３８】
本実施形態において、Ｓ１５５０の処理で表示される画面は、図１６（ｃ）に例示するような画面となる。この画面内で、内線通話中に１秒周期で点滅していた子機＃１および子機＃２のピクトは、点灯状態に切り替わるので、利用者は、子機＃１および子機＃２のピクトが点灯状態になったことおよび画面内の他の表示から、内線通話が終わって待機状態になったことを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１５５０の処理の中で、先に説明した「子機情報報知処理（図５参照）」を呼び出すことによって実現することができる。
【０１３９】
さて、以上、発信機となる子機＃１側での子機間内線通話処理について説明したが、受信機となる子機＃２側では、図１７に示すような子機間内線通話処理が実行される。
すなわち、待機状態にある子機＃２は、まず、子機＃１から親機１０を通して内線呼出コマンドを受信したか否かを判断する（Ｓ１６１０）。ここで、内線呼出コマンドを受信していなければ（Ｓ１６１０：ＮＯ）、Ｓ１６１０の処理へと戻ることにより、子機＃２は待機状態を継続する。
【０１４０】
一方、内線呼出コマンドを受信した場合（Ｓ１６１０：ＹＥＳ）、子機＃２は、内線着信画面をディスプレイ５３に表示する（Ｓ１６２０）。本実施形態において、Ｓ１６２０の処理で表示される画面は、図１８（ａ）に例示するような画面となる。この画面内で、子機＃１および子機＃２のピクトは１秒周期で点滅するので、利用者は、子機＃１および子機＃２のピクトの点滅周期および画面内の他の表示から、子機＃１−子機＃２間の内線通話であることを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１６２０の処理の中で、先に説明した「子機情報報知処理（図５参照）」を呼び出すことによって実現することができる。
【０１４１】
続いて、子機＃２は、着信音を鳴動させて（Ｓ１６３０）、利用者が内線キーを押したか否かを判断する（Ｓ１６４０）。ここで、利用者が内線キーを押していなければ（Ｓ１６４０：ＮＯ）、Ｓ１６４０の処理へと戻ることにより、子機＃２は利用者が内線キーを押すまで待機する。なお、利用者が内線キーを押さない可能性もあり、その場合、図示しない別の処理へと分岐することもあるが、そのような別の処理はここで説明する子機間内線通話処理とは直接関連しない処理なので、図示および説明を省略する。
【０１４２】
一方、利用者が内線キーを押した場合（Ｓ１６４０：ＹＥＳ）、子機＃２は、親機１０を通して子機＃１に対して内線通話コマンドを送信する（Ｓ１６５０）。このＳ１６５０の処理で送信する内線通話コマンドは、上述したＳ１２５０の処理で肯定判断がなされることになるコマンドである。
【０１４３】
Ｓ１６５０の処理を終えたら、子機＃２は、親機１０から応答コマンドを受信したか否かを判断する（Ｓ１６６０）。親機１０から応答コマンドが送信されてこない間は、Ｓ１６６０の処理において否定判断がなされ（Ｓ１６６０：ＮＯ）、Ｓ１６６０の処理へと戻ることにより、子機＃２は親機１０から応答コマンドが送信されてくるまで待機する。
【０１４４】
一方、親機１０から応答コマンドが送信された場合（Ｓ１６６０：ＹＥＳ）、子機＃２は、着信音を止める（Ｓ１６７０）。そして、音声パスを設定して（Ｓ１６８０）、子機＃２の通信系統を親機１０経由で子機＃１との通話ができる状態にし、内線通話の画面を表示して（Ｓ１６９０）、以降、子機＃２は、親機１０経由で子機＃１との子機間内線通話を行うことができる状態になる。
【０１４５】
本実施形態において、Ｓ１６９０の処理で表示される画面は、図１８（ｂ）に例示するような画面となる。この画面内で、子機＃１および子機＃２のピクトは１秒周期で点滅するので、利用者は、子機＃１および子機＃２のピクトの点滅周期および画面内の他の表示から、子機＃１−子機＃２間の内線通話であることを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１６９０の処理の中で、先に説明した「子機情報報知処理（図５参照）」を呼び出すことによって実現することができる。
【０１４６】
その後、子機＃１−子機＃２間の内線通話状態となった子機＃２は、子機＃１から親機１０を通して切コマンドを受信したか否かを判断する（Ｓ１７１０）。ここで、子機＃１から切コマンドを受信していなければ（Ｓ１７１０：ＮＯ）、Ｓ１７１０の処理へと戻ることにより、子機＃２は子機＃１−子機＃２間の内線通話状態を継続する。
【０１４７】
一方、子機＃１から切コマンドを受信した場合（Ｓ１７１０：ＹＥＳ）、子機＃２は、音声パスを設定して（Ｓ１７２０）、子機＃２の通信系統を待機状態にし、親機１０に対して応答コマンドを転送する（Ｓ１７３０）。このＳ１７３０の処理で送信する応答コマンドは、上述したＳ１３４０の処理で肯定判断がなされることになるコマンドである。そして、子機＃２は、待機画面を表示して（Ｓ１７４０）、以降、子機＃２は、待機状態になる。
【０１４８】
本実施形態において、Ｓ１７４０の処理で表示される画面は、図１８（ｃ）に例示するような画面となる。この画面内で、内線通話中に１秒周期で点滅していた子機＃１および子機＃２のピクトは、点灯状態に切り替わるので、利用者は、子機＃１および子機＃２のピクトが点灯状態になったことおよび画面内の他の表示から、内線通話が終わって待機状態になったことを認識することができる。また、画面内には、子機＃１，＃２以外の子機に対応するピクトも表示され、各子機の状態が点灯・消灯あるいは点滅周期によって報知される。このような各子機についての状態報知は、上記Ｓ１７４０の処理の中で、先に説明した「子機情報報知処理（図５参照）」を呼び出すことによって実現することができる。
【０１４９】
［親機発親子間内線通話処理］
次に、上記コードレス電話機１の親機１０および子機５０それぞれにおいて実行される親機発親子間内線通話処理について説明する。図１９は、親機１０側において実行される親機発親子間内線通話処理のフローチャート、図２０は、子機５０側において実行される親機発親子間内線通話処理のフローチャートである。
【０１５０】
以下、先に親機１０側の処理から説明する。なお、以下の説明は、親機１０が子機＃１との内線通話を行う場合を例に挙げて説明するが、他の子機＃２〜＃４の場合でも同様の処理となる。
【０１５１】
待機状態にある親機１０は、まず、利用者が内線画面で子機＃１を選択したか否かを判断する（Ｓ１８１０）。ここで、利用者が内線画面で子機＃１を選択していなければ（Ｓ１８１０：ＮＯ）、Ｓ１８１０の処理へと戻ることにより、親機１０は待機状態を継続する。
【０１５２】
一方、利用者が内線画面で子機＃１を選択していれば（Ｓ１８１０：ＹＥＳ）、この場合、親機１０は、内線呼出画面をディスプレイ１３に表示する（Ｓ１８２０）。そして、子機＃１に対して内線呼出コマンドを送信する（Ｓ１８３０）。また、内線通話していない子機＃２〜＃４に対しては、子機＃１は内線通話中というコマンドを送信する（Ｓ１８４０）。なお、上記Ｓ１８３０およびＳ１８４０の処理では、いずれの処理においても各子機＃１〜＃４に対して増設子機情報（図３（ａ）〜同図（ｃ）参照）が送信される。
【０１５３】
続いて、親機１０は、子機＃１から内線コマンドが来たか否かを判断する（Ｓ１８５０）。ここで、子機＃２から内線コマンドが来ていなければ（Ｓ１８５０：ＮＯ）、Ｓ１８５０の処理へと戻ることにより、親機１０は子機＃１から内線コマンドが来るまで待機状態を継続する。
【０１５４】
一方、子機＃１から内線コマンドが来れば（Ｓ１８５０：ＹＥＳ）、この場合、親機１０は、子機＃１に対して応答コマンドを送信する（Ｓ１８６０）。なお、上記Ｓ１８６０の処理でも、子機＃１に対して増設子機情報（図３（ａ）〜同図（ｃ）参照）が送信される。
【０１５５】
そして、親機１０は、音声パスを設定して（Ｓ１８７０）、親機１０の通信系統を親子間内線通話ができる状態にし、内線通話の画面を表示して（Ｓ１８８０）、以降、親機１０は、親子間内線通話を行う状態になる。
【０１５６】
その後、親子間内線通話を行う状態となった親機１０は、利用者が切ボタンを押したか否かを判断する（Ｓ１９１０）。ここで、利用者が切ボタンを押していなければ（Ｓ１９１０：ＮＯ）、Ｓ１９１０の処理へと戻ることにより、親機１０は親子間内線通話を継続する。
【０１５７】
一方、利用者が切ボタンを押した場合（Ｓ１９１０：ＹＥＳ）、親機１０は、音声パスを設定して（Ｓ１９２０）、親機１０の通信系統を待機状態にする。そして、子機＃１に対して、切コマンドを転送する（Ｓ１９３０）。なお、上記Ｓ１９３０の処理では、子機＃１に対して増設子機情報（図３（ａ）〜同図（ｃ）参照）が送信される。
【０１５８】
続いて、親機１０は、子機＃１から応答コマンドを受信したか否かを判断する（Ｓ１９４０）。ここで、子機＃１から応答コマンドを受信していなければ（Ｓ１９４０：ＮＯ）、Ｓ１９４０の処理へと戻ることにより、親機１０は子機＃１から応答コマンドが来るまで待機状態を継続する。
【０１５９】
一方、子機＃１から応答コマンドを受信すれば（Ｓ１９４０：ＹＥＳ）、この場合、親機１０は、待機画面を表示して（Ｓ１９５０）、全ての子機＃１〜＃４に対し、子機＃１は待機中というコマンドを送信する（Ｓ１９６０）。なお、上記Ｓ１９６０の処理では、子機＃１〜＃４に対して増設子機情報（図３（ａ）〜同図（ｃ）参照）が送信される。
【０１６０】
以降、親機１０は、待機状態になる。
さて、以上説明したような親機１０側での親機発親子間内線通話処理に並行して、子機＃１側では、以下に説明するような親機発親子間内線通話処理が実行される。
【０１６１】
すなわち、待機状態にある子機＃１は、まず、親機１０から内線呼出コマンドを受信したか否かを判断する（Ｓ２０１０）。ここで、内線呼出コマンドを受信していなければ（Ｓ２０１０：ＮＯ）、Ｓ２０１０の処理へと戻ることにより、子機＃１は待機状態を継続する。
【０１６２】
一方、内線呼出コマンドを受信した場合（Ｓ２０１０：ＹＥＳ）、子機＃１は、内線着信画面をディスプレイ５３に表示する（Ｓ２０２０）。本実施形態において、Ｓ２０２０の処理で表示される画面は、図２１（ａ）に例示するような画面となる。この画面内で、子機＃１のピクトは１秒周期で点滅するので、利用者は、子機＃１のピクトの点滅周期および画面内の他の表示から、親機１０−子機＃１間の内線通話であることを認識することができる。また、画面内には、子機＃１以外の子機に対応するピクトも表示され、各子機の状態が点灯・消灯あるいは点滅周期によって報知される。このような各子機についての状態報知は、上記Ｓ２０２０の処理の中で、先に説明した「子機情報報知処理（図５参照）」を呼び出すことによって実現することができる。
【０１６３】
続いて、子機＃１は、着信音を鳴動させて（Ｓ２０３０）、利用者が内線キーを押したか否かを判断する（Ｓ２０４０）。ここで、利用者が内線キーを押していなければ（Ｓ２０４０：ＮＯ）、Ｓ２０４０の処理へと戻ることにより、子機＃１は利用者が内線キーを押すまで待機する。なお、利用者が内線キーを押さない可能性もあり、その場合、図示しない別の処理へと分岐することもあるが、そのような別の処理はここで説明する親子間内線通話処理とは直接関連しない処理なので、図示および説明を省略する。
【０１６４】
一方、利用者が内線キーを押した場合（Ｓ２０４０：ＹＥＳ）、子機＃１は、親機１０に対して内線通話コマンドを送信する（Ｓ２０５０）。このＳ２０５０の処理で送信する内線通話コマンドは、上述したＳ１８５０の処理で肯定判断がなされることになるコマンドである。
【０１６５】
Ｓ２０５０の処理を終えたら、子機＃１は、親機１０から応答コマンドを受信したか否かを判断する（Ｓ２０６０）。親機１０から応答コマンドが送信されてこない間は、Ｓ２０６０の処理において否定判断がなされ（Ｓ２０６０：ＮＯ）、Ｓ２０６０の処理へと戻ることにより、子機＃１は親機１０から応答コマンドが送信されてくるまで待機する。
【０１６６】
一方、親機１０が上述したＳ１８６０の処理を実行した結果、親機１０から応答コマンドが送信された場合（Ｓ２０６０：ＹＥＳ）、子機＃１は、着信音を止める（Ｓ２０７０）。そして、音声パスを設定して（Ｓ２０８０）、子機＃１の通信系統を親機１０との内線通話ができる状態にし、内線通話の画面を表示して（Ｓ２０９０）、以降、子機＃１は、親機１０との親子間内線通話を行うことができる状態になる。
【０１６７】
本実施形態において、Ｓ２０９０の処理で表示される画面は、図２１（ｂ）に例示するような画面となる。この画面内で、子機＃１のピクトは１秒周期で点滅するので、利用者は、子機＃１のピクトの点滅周期および画面内の他の表示から、親機１０−子機＃１間の内線通話であることを認識することができる。また、画面内には、子機＃１以外の子機に対応するピクトも表示され、各子機の状態が点灯・消灯あるいは点滅周期によって報知される。このような各子機についての状態報知は、上記Ｓ２０９０の処理の中で、先に説明した「子機情報報知処理（図５参照）」を呼び出すことによって実現することができる。
【０１６８】
その後、親機１０−子機＃１間の内線通話状態となった子機＃１は、親機１０から切コマンドを受信したか否かを判断する（Ｓ２１１０）。ここで、親機１０から切コマンドを受信していなければ（Ｓ２１１０：ＮＯ）、Ｓ２１１０の処理へと戻ることにより、子機＃１は親機１０−子機＃１間の内線通話状態を継続する。
【０１６９】
一方、親機１０から切コマンドを受信した場合（Ｓ２１１０：ＹＥＳ）、子機＃１は、音声パスを設定して（Ｓ２１２０）、子機＃１の通信系統を待機状態にし、親機１０に対して応答コマンドを転送する（Ｓ２１３０）。このＳ２１３０の処理で送信する応答コマンドは、上述したＳ１９４０の処理で肯定判断がなされることになるコマンドである。そして、子機＃１は、待機画面を表示して（Ｓ２１４０）、以降、子機＃１は、待機状態になる。
【０１７０】
本実施形態において、Ｓ２１４０の処理で表示される画面は、図２１（ｃ）に例示するような画面となる。この画面内で、内線通話中に１秒周期で点滅していた子機＃１のピクトは、点灯状態に切り替わるので、利用者は、子機＃１のピクトが点灯状態になったことおよび画面内の他の表示から、内線通話が終わって待機状態になったことを認識することができる。また、画面内には、子機＃１以外の子機に対応するピクトも表示され、各子機の状態が点灯・消灯あるいは点滅周期によって報知される。このような各子機についての状態報知は、上記Ｓ２１４０の処理の中で、先に説明した「子機情報報知処理（図５参照）」を呼び出すことによって実現することができる。
【０１７１】
［通話圏外情報送信処理］
次に、上記コードレス電話機１の親機１０において実行される通話圏外情報送信処理について説明する。図２２は、親機１０が実行する通話圏外情報送信処理のフローチャートである。この通話圏外情報送信処理は、親機１０が常時繰り返し実行している処理である。なお、以下の説明は、子機＃１が通話圏外となったり、通話圏内となったりする場合を例に挙げて説明するが、どの子機に対しても同様の処理が実行される。
【０１７２】
この処理を開始すると、親機１０は、まず、子機＃１が通話圏外となったか否かを判断する（Ｓ２２１０）。この種の判断は、コードレス電話機や携帯電話機等における一般的な判断手法を任意に採用することができるが、一例を挙げれば、例えば、応答要求を送信してから所定のタイムアウト時間が経過するまで待っても応答が返らない状態が所定回数繰り返された場合に、子機＃１が通話圏外となったと判定することができる。
【０１７３】
Ｓ２２１０の処理において、子機＃１が通話圏外となった旨の判定がなされた場合（Ｓ２２１０：ＹＥＳ）、親機１０は、全ての子機に対して、子機＃１が圏外になったという情報を送信する（Ｓ２２２０）。なお、Ｓ２２２０の処理を終えたら、Ｓ２２１０の処理へと戻ることにより、以下、通話圏外情報送信処理を繰り返すことになる。
【０１７４】
一方、Ｓ２２１０の処理において、子機＃１が通話圏外となっていない旨の判定がなされた場合（Ｓ２２１０：ＮＯ）、親機１０は、子機＃１が通話圏内に復帰したか否かを判断する（Ｓ２２３０）。この種の判断も、コードレス電話機や携帯電話機等における一般的な判断手法を任意に採用することができるが、一例を挙げれば、例えば、既に圏外にあるとの判定がなされている状態となっているにもかかわらず、応答要求を送信してから所定のタイムアウト時間が経過するまでに応答が返った場合に、子機＃１が通話圏内に復帰したと判定することができる。
【０１７５】
Ｓ２２３０の処理において、子機＃１が通話圏内に復帰した旨の判定がなされた場合（Ｓ２２３０：ＹＥＳ）、親機１０は、全ての子機に対して、子機＃１が圏内に復帰したという情報を送信する（Ｓ２２４０）。なお、Ｓ２２４０の処理を終えたら、Ｓ２２１０の処理へと戻ることにより、以下、通話圏外情報送信処理を繰り返すことになる。
【０１７６】
また、Ｓ２２３０の処理において、子機＃１の通話圏内への復帰が起きていない旨の判定がなされた場合（Ｓ２２３０：ＮＯ）、親機１０は、その他の処理を実行して（Ｓ２２５０）、Ｓ２２１０の処理へと戻る。なお、Ｓ２２５０の処理は、本発明の要部には直接関連しない処理なので、これ以上の説明は省略する。
【０１７７】
以上のような通話圏外情報送信処理が親機１０において行われる結果、上記Ｓ２２２０およびＳ２２４０の処理では、各子機＃１〜＃４に対して増設子機情報（図３（ａ）〜同図（ｃ）参照）が送信される。
【０１７８】
そして、各子機＃１〜＃４が通話圏内に存在する場合には、各子機＃１〜＃４が増設子機情報を受信し、既に説明した「子機情報更新処理（図７参照）」を実行することにより、各子機＃１〜＃４において、増設子機情報に基づくピクトの点灯・消灯、点滅周期の設定が行われることになる。
【０１７９】
一方、各子機＃１〜＃４が通話圏外に存在する場合には、各子機＃１〜＃４が増設子機情報を受信することができないが、親機１０との通信ができないことをもって、圏外となったことを自身で判断することはできる。従って、このような場合にも、各子機＃１〜＃４において、ピクトの点滅周期の設定を行い、自身が圏外になったことを報知する。
【０１８０】
こうして通話圏内にある子機は、通話圏外となった子機の情報を親機１０から取得し、通話圏外となった子機は、自身で圏外となったことを認識し、それぞれ該当する子機が圏外となったことをピクトの点滅により報知する。従って、子機＃１〜＃４は、図６に例示した通り、通話圏外となった子機＃１においても、通話圏内にある子機＃２〜＃４においても、子機＃１のピクトを０．５秒周期で点滅させることができ、これにより、子機＃１が通話圏外となった旨を利用者に対して報知することができる。
【０１８１】
［上記実施形態の効果］
以上説明した通り、上記コードレス電話機１によれば、最大４台までの子機５０を対象機器として、それら対象機器すべてについて、各対象機器が存在すれば、存在する子機に対応するピクトを点灯または点滅させる（すなわち、表示状態とする）一方、存在しない子機に関してはピクトを消灯させる（すなわち、非表示状態とする）。したがって、ピクトが消灯しているか否かに基づいて、何台の子機５０が存在するのかを、利用者は一目で確認することができる。
【０１８２】
しかも、存在する子機５０に関しては、各子機５０の状態が、待機状態、外線通話状態、内線通話状態、通話圏外にある状態のいずれであるのかを、ピクトの点灯ないし点滅周期によって報知できる。したがって、利用者は、すべての対象機器（子機５０）について、各対象機器の状態を知ることができる。
【０１８３】
また、各子機５０は、親機１０から全ての子機５０に対応する増設子機情報を取得するので、複数の子機５０が存在するような場合であっても、複数の子機５０それぞれから情報を取得するといった面倒な制御を実施しなくてもよい。
【０１８４】
［変形例等］
以上、本発明の実施形態について説明したが、本発明は上記の具体的な一実施形態に限定されず、この他にも種々の形態で実施することができる。
【０１８５】
例えば、上記実施形態では、コードレス電話機を例に挙げて、本発明の具体的構成の一例を説明したが、上述した親機や子機に相当する複数の機器が存在し、それらの機器間で内線通話を行ったり、それらの機器のいずれかから外線通話を利用できたりするように構成されたものであれば、具体的構成は、コードレス電話機のみに限定されない。
【０１８６】
例えば、上述の如く、親機と子機とが無線通信を行うものはもちろんのこと、機器間は、有線接続されたものであってもよく、さらに、無線側と有線側を中継する機器が存在していれば、一部の機器間が無線接続、残りの一部の機器間が有線接続といったかたちで無線と有線が混在していてもよい。
【０１８７】
また、複数の子機を備える場合、子機同士は、直接通信できるようになっていてもよいし、親機経由で通信できるようになっていてもよい。
また、機器間の通信に用いる通信方式は、アナログ通信方式であってもよいし、デジタル通信方式であってもよく、通信プロトコルも任意である。
【０１８８】
また、上記実施形態においては、電話回線網１００として、ＰＳＴＮ（Public Switched Telephone Networks）を想定しているが、コードレス電話機１が、いわゆるＩＰ電話機としての構成を備えている場合には、電話回線網１００をインターネット回線としてもよい。
【０１８９】
また、上記実施形態においては、子機５０のみを対象機器としていたが、親機１０も対象機器として、その状態をディスプレイ５３に表示するようにしてもよい。より具体的な一例を挙げれば、例えば、上述した子機＃１〜＃４に対応する番号１〜４のピクトに加えて、親機１０を示す番号０のピクトをも表示するようにし、親機１０の状態について、待機状態、外線通話、内線通話といった情報を表示してもよい。
【０１９０】
また、上記実施形態においては、子機＃１〜＃４が備えるディスプレイ５３において、子機＃１〜＃４に対応するピクトの表示を行う例を示したが、親機１０が備えるディスプレイ１３において、子機＃１〜＃４と同様なピクトを表示するように構成してもよい。
【０１９１】
また、上記実施形態においては、各子機＃１〜＃４の状態を示す情報（増設子機情報）を親機１０に一旦集めてから、親機１０が全ての子機＃１〜＃４に対して情報を送信するようにしていたが、親機および子機のうち、どの機器が情報を集めるのかは任意である。
【０１９２】
例えば、親機１０および子機＃１〜＃４のうち、子機＃１が増設子機情報を各機器から集め、すべての機器の情報が揃ったら、その情報を子機＃１が親機経由で親機１０や他の子機＃２〜＃４へと送信したり、親機１０および他の子機＃２〜＃４それぞれとの直接通信によって各機器へ情報を送信したりすればよい。
【０１９３】
さらに、上記実施形態においては、ディスプレイ５３に子機＃１〜＃４に対応するピクトを表示できるようにして、各ピクトの点灯／消灯、点滅周期により、情報を報知するようにしてあったが、ピクトの他にも、文字情報での表示を行ったり、ＬＥＤの如き発光素子で、点灯／消灯、点滅周期の異なる方とを行ったり、さらには、音声による報知を行ったりしてもよい。
【図面の簡単な説明】
【０１９４】
【図１】本発明の通信装置の一実施形態として例示するコードレス電話機の内部構成を示すブロック図。
【図２】親機および子機において実行される子機増設処理を併記したフローチャート。
【図３】増設子機情報のデータ形式を示す説明図。
【図４】子機増設処理の際に子機のディスプレイに表示される画面を示す説明図。
【図５】子機情報表示処理のフローチャート。
【図６】ピクトの表示例を示す説明図。
【図７】子機情報更新処理のフローチャート。
【図８】親機側において実行される子機発親子間内線通話処理のフローチャート。
【図９】子機側において実行される子機発親子間内線通話処理のフローチャート。
【図１０】子機発親子間内線通話処理の際に子機のディスプレイに表示される画面を示す説明図。
【図１１】親機側において実行される子機発外線通話処理のフローチャート。
【図１２】子機側において実行される子機発外線通話処理のフローチャート。
【図１３】子機発外線通話処理の際に子機のディスプレイに表示される画面を示す説明図。
【図１４】親機側において実行される子機間内線通話処理のフローチャート。
【図１５】子機側（発信側）において実行される子機間内線通話処理のフローチャート。
【図１６】子機間内線通話処理の際に子機（発信側）のディスプレイに表示される画面を示す説明図。
【図１７】子機側（着信側）において実行される子機間内線通話処理のフローチャート。
【図１８】子機間内線通話処理の際に子機（着信側）のディスプレイに表示される画面を示す説明図。
【図１９】親機側において実行される親機発親子間内線通話処理のフローチャート。
【図２０】子機側において実行される親機発親子間内線通話処理のフローチャート。
【図２１】親機発親子間内線通話処理の際に子機（着信側）のディスプレイに表示される画面を示す説明図。
【図２２】通話圏外情報送信処理のフローチャート。
【符号の説明】
【０１９５】
１・・・コードレス電話機、１０・・・親機、５０・・・子機、８０・・・充電台、１００・・・電話回線網、１２・・・ハンドセット、１３，５３・・・ディスプレイ、１４，５４・・・操作ボタン、２１，６１・・・制御部、２１ａ，６１ａ・・・ＲＡＭ、２１ｂ，６１ｂ・・・ＥＥＰＲＯＭ、２３・・・音声入出力部、２３ａ・・・スピーカ、２３ｂ・・・マイク、２３ｃ・・・駆動回路、２５，６５・・・再生部、２７，６９・・・無線通信部、３１・・・経路切換部、５５，８２・・・充電用端子、６３・・・送受話部、６７・・・スピーカ部、７１・・・電池、７５・・・充電回路。
【図１】
2008072199.tif 000003
【図２】
2008072199.tif 000004
【図３】
2008072199.tif 000005
【図４】
2008072199.tif 000006
【図５】
2008072199.tif 000007
【図６】
2008072199.tif 000008
【図７】
2008072199.tif 000009
【図８】
2008072199.tif 000010
【図９】
2008072199.tif 000011
【図１０】
2008072199.tif 000012
【図１１】
2008072199.tif 000013
【図１２】
2008072199.tif 000014
【図１３】
2008072199.tif 000015
【図１４】
2008072199.tif 000016
【図１５】
2008072199.tif 000017
【図１６】
2008072199.tif 000018
【図１７】
2008072199.tif 000019
【図１８】
2008072199.tif 000020
【図１９】
2008072199.tif 000021
【図２０】
2008072199.tif 000022
【図２１】
2008072199.tif 000023
【図２２】
2008072199.tif 000024